(57)【要約】      （修正有）【課題】自動水洗式トイレにおける便器の清掃中に洗浄水が不用意に流れてしまうことを防止する便器清掃作業用器具を提供する。【解決手段】自動水洗式トイレにおける便器清掃作業に用いる器具であり、中心部に摘み部が突設された吸盤５と、便器１又はその近傍に配置された非接触型のセンサ部Ｓを覆うための薄板状のセンサカバー６とを有し、センサカバーは、吸盤の摘み部に連結され、センサ部の近傍に吸着された吸盤を中心として、センサ部を覆う検出位置からセンサ部により検出されない非検出位置に移動可能とされていることを特徴とする。【選択図】図３
0003188045.tif 000002
【実用新案登録請求の範囲】
【請求項１】
便器又はその近傍に配置された非接触型のセンサ部で検出された物体が前記センサ部による検出位置から退くことにより、前記便器内に洗浄水の供給が行われる自動水洗式トイレにおける便器清掃作業に用いる器具であり、
中心部に摘み部が突設された吸盤と、前記センサ部を覆うための薄板状のセンサカバーとを有し、
前記センサカバーは、前記吸盤の摘み部に連結され、前記センサ部の近傍に吸着された前記吸盤を中心として、前記センサ部を覆う検出位置から前記センサ部により検出されない非検出位置に移動可能とされていることを特徴とする自動水洗式トイレにおける便器清掃作業用器具。
【請求項２】
前記センサカバーは、所定の長さを有するフレキシブル接続部材を介して前記吸盤の摘み部に連結されていることを特徴とする請求項１記載の自動水洗式トイレにおける便器清掃用器具。
【請求項３】
前記フレキシブル接続部材は、線径０．５〜２ｍｍの金属線、革バンド、金属チェーン、又は樹脂紐を有してなることを特徴とする請求項２記載の自動水洗式トイレにおける便器清掃作業用器具。
【請求項４】
前記フレキシブル接続部材が線径０．５〜２ｍｍの金属線で構成され、センサ部の横に位置する平坦面に吸盤を吸着させながら、センサカバーを前記センサ部の検出位置に保持可能とする請求項３記載の自動水洗式トイレにおける便器清掃用器具。
【請求項５】
前記センサカバーが、前記センサ部を覆う検出位置から前記センサ部により検出されない非検出位置に上下左右に移動可能とされていることを特徴とする請求項１乃至請求項４のいずれか１項に記載の自動水洗式トイレにおける便器清掃作業用器具。
【請求項６】
前記センサカバーが不透明な板材からなることを特徴とする請求項１乃至請求項５のいずれか１項に記載の自動水洗式トイレにおける便器清掃用器具。
【請求項７】
前記センサカバーには、注意事項を記す文字が記されていることを特徴とする請求項１乃至請求項６のいずれか１項に記載の自動水洗式トイレにおける便器清掃用器具。
【考案の詳細な説明】
【技術分野】
【０００１】
本考案は、自動水洗式トイレにおける便器の清掃技術に係わり、特に便器の清掃中に洗浄水が不用意に流れてしまうことを防止することのできる便器清掃作業用器具に関する。
【背景技術】
【０００２】
陶磁器などからなる大便器や小便器の表面には、長期の使用によって黒ずみの原因である水垢、あるいは悪臭の原因となる尿石が付着する。
【０００３】
水垢は水道水などに含まれるシリカ質であり、付着直後では比較的容易に除去できるものの、放置された場合には、便器表面のガラス質と同化して容易に除去することができなくなる。
【０００４】
一方、尿石は尿に含まれるタンパク質が細菌により分解されることで発生する難溶性化合物であり、便器やその周辺の床あるいは壁に付着すると石化して容易に除去することができず、配水管を詰まらせる原因ともなり、更には多孔質であるから細菌の繁殖を促して汚れが蓄積しやすい悪環境を招くという問題がある。
【０００５】
そこで、従来から電動式回転ブラシなどを用いて便器を定期的に清掃することが行われている（例えば、特許文献１）。
【先行技術文献】
【特許文献】
【０００６】
【特許文献１】実開昭６１−２１３９４号公報
【考案の概要】
【考案が解決しようとする課題】
【０００７】
しかしながら、用便後に便器内への洗浄水の供給が自動的に行われる自動水洗式トイレでは、便器の清掃作業中、自動水洗装置を構成するセンサ部により清掃作業者が検出されたり検出されなくなったりすることが不規則に繰り返されることに起因し、清掃中の便器内に洗浄水が不用意に供給されてしまうという不都合があった。
【０００８】
ここに、清掃中の便器内に洗浄水が不用意に供給されると、洗浄水の無駄使いとなって節水効果が低下してしまうのみならず、清掃用洗剤や研磨剤が清掃途中に洗い流されてしまい、結果的に便器に付着した汚れを良好に除去できなくなる。
【０００９】
本考案は以上のような事情に鑑みて成されたものであり、その目的は自動水洗式トイレにおける便器の清掃中に洗浄水が不用意に流れてしまうことを防止することにある。
【課題を解決するための手段】
【００１０】
本考案は上記目的を達成するため、
（１）便器又はその近傍に配置された非接触型のセンサ部で検出された物体が前記センサ部による検出位置から退くことにより、前記便器内に洗浄水の供給が行われる自動水洗式トイレにおける便器清掃作業に用いる器具であり、
中心部に摘み部が突設された吸盤と、前記センサ部を覆うための薄板状のセンサカバーとを有し、
前記センサカバーは、前記吸盤の摘み部に連結され、前記センサ部の近傍に吸着された前記吸盤を中心として、前記センサ部を覆う検出位置から前記センサ部により検出されない非検出位置に移動可能とされていることを特徴とする自動水洗式トイレにおける便器清掃作業用器具を提供することにより、上記課題を解決する。
（２）前記センサカバーは、所定の長さを有するフレキシブル接続部材を介して前記吸盤の摘み部に連結されていることを特徴とする上記（１）記載の自動水洗式トイレにおける便器清掃用器具を提供することにより、上記課題を解決する。
（３）前記フレキシブル接続部材は、線径０．５〜２ｍｍの金属線、革バンド、金属チェーン、又は樹脂紐を有してなることを特徴とする上記（２）記載の自動水洗式トイレにおける便器清掃用器具を提供することにより、上記課題を解決する。
（４）前記フレキシブル接続部材が線径０．５〜２ｍｍの金属線で構成され、センサ部の横に位置する平坦面に吸盤を吸着させながら、センサカバーを前記センサ部の検出位置に保持可能とする上記（３）記載の自動水洗式トイレにおける便器清掃用器具を提供することにより、上記課題を解決する。
（５）前記センサカバーが、前記センサ部を覆う検出位置から前記センサ部により検出されない非検出位置に上下左右に移動可能とされていることを特徴とする上記（１）乃至（４）のいずれか１項に記載の自動水洗式トイレにおける便器清掃作業用器具を提供することにより、上記課題を解決する。
（６）前記センサカバーが不透明な板材からなることを特徴とする上記（１）乃至（５）のいずれか１項に記載の自動水洗式トイレにおける便器清掃用器具を提供することにより、上記課題を解決する。
（７）前記センサカバーには、注意事項を記す文字が記されていることを特徴とする上記（１）乃至（６）のいずれか１項に記載の自動水洗式トイレにおける便器清掃用器具を提供することにより、上記課題を解決する。
【考案の効果】
【００１１】
本考案によれば、便器の清掃中に洗浄水が不用意に供給されてしまうことを防止することが可能となる。このため、節水効果が上がるだけでなく、洗剤や研磨剤が清掃途中に流されないので便器清掃を効率良く良好に行うことができる。
【００１２】
又、本考案によれば、センサ部近傍の平坦面に対して吸盤を吸着させるだけで容易に設置でき、使用中に脱落してしまうこともなく、使用後には容易に取り外すことができる。
【００１３】
加えて、吸盤の摘み部に対してセンサカバーが変位可能に連結されていることから、吸盤をセンサ部近傍に吸着させた状態のまま、センサカバーをセンサ部による検出位置から非検出位置に退かして便器内への洗浄水の供給を清掃作業者の意のままにできる。
【図面の簡単な説明】
【００１４】
【図１】自動水洗式トイレの構成を示す説明図
【図２】本考案に係る便器清掃作業用器具の実施形態を示す斜視図
【図３】図２に示した器具の使用態様を示す説明図
【図４】図２に示した器具の装着例を示す部分拡大図
【図５】図２に示した器具の他の装着例を示す部分拡大図
【図６】本考案に係る便器清掃作業用器具の変更例を示す使用説明図
【図７】図２に示した器具の使用説明図
【図８】センサ部が組み込まれた便器を示す正面概略図
【考案を実施するための形態】
【００１５】
以下、図面に基づいて本考案を詳しく説明する。先ず、図１に自動水洗式トイレの構成例を示す。図１において、１は清掃対象となる便器（小便器）であり、この便器１は背面をトイレの壁面Ｗに押し当てて設置されている。
【００１６】
便器１の底部には排水口１１が形成され、その排水口１１に排水管２の一端が接続されている。一方、便器１の上部には吐水口１２が形成され、その吐水口１２に給水管３の一端が接続されている。給水管３には給水弁Ｖが介在されており、その開放により便器１内に洗浄水が供給され、その洗浄水が便器１の内表面に沿って流下するようになっている。
【００１７】
Ｃは給水弁Ｖを開閉する制御部、Ｅは制御部５に電力供給を行う電源部、Ｓは制御部Ｃに導電接続する非接触型のセンサ部であり、このセンサ部Ｓは図示例において便器１の上方における壁面Ｗ内に固設されている。そして、そのセンサ部Ｓによる物体検出に基づき、給水弁Ｖが所定のタイミングで一定時間開放する構成とされている。
【００１８】
例えば、センサ部Ｓは便器１の前に立つ便器使用者（用便者）を検出可能な回帰反射形の光電センサからなり、これにより用便者が検出された後、用便者が立ち去ってセンサ部Ｓによる用便者の検出が行われなくなると、センサ部Ｓから制御部Ｃへの信号入力が変化（低下）することにより、制御部Ｃが用便完了と判断して給水弁Ｖを一定時間開放することとなる。
【００１９】
したがって、以上のような自動水洗式トイレによれば、回転ブラシなどの清掃用具を用いて便器１の清掃を行うときでも、センサ部Ｓにより清掃作業者が検出されたり検出されなくなったりすることが不規則に繰り返されることにより、給水弁Ｖが繰り返し開閉して便器１内に洗浄水が不用意に供給されることになる。
【００２０】
そこで、本考案は便器１の清掃中、その内部に洗浄水が不用意に供給されることを防止するため、図２に示すような器具４を用い、これによりセンサ部Ｓを図３のように遮蔽する。
【００２１】
図２から明らかなように、係る器具４は、吸盤５と薄板状のセンサカバー６とを備えてなる。吸盤５は、円弧状の断面を有する吸盤本体５１と、その凸面側中心部に突設された摘み部５２とを有し、摘み部５２とは反対の吸盤本体５１の凹面側が任意の平坦面に対して吸着可能な吸着面とされているものである。尚、吸盤本体５１の周縁部には図示せぬ突片があり、その突片を引っ張ることにより吸盤５を吸着面から容易に離間させ得るようになっている。
【００２２】
又、図示例において、摘み部５２は、吸盤本体５１と一体成形された凸部５２ａと、この凸部５２ａに装着したリング５２ｂからなる。凸部５２ａには、これを貫通する貫通孔５２ｃが穿設されており、その貫通孔５２ｃにリング５２ｂが装着されている。
【００２３】
リング５２ｂは金属製であり、これにフレキシブル接続部材７を介してセンサカバー６が変位可能に連結されている。フレキシブル接続部材７は、可撓性を有していればよく、図２ではこれに革バンドを用いた例を示しているが、そのほか係るフレキシブル接続部材７として、線径０．５〜２ｍｍの金属線（針金）、金属チェーン、又は樹脂紐を好適に用いることができる。
【００２４】
一方、センサカバー６は、吸盤５を中心として上下左右に９０度以上遊動（移動）することが可能とされている。係るセンサカバー６は、センサ部Ｓを覆って当該センサ部Ｓで検出される大きさを有していればよく、本例ではこれに縦９０ｍｍ、幅７０ｍｍ、厚さ１ｍｍの不透明な合成樹脂板が用いられている。特に、センサカバー６は透明でないことが好ましい。これは、自動水洗式トイレを構成するセンサ部Ｓとして、一般に透明体を検出することのできないものが用いられることによる。又、係るセンサ部Ｓは、基本的に非磁性体である人体すなわち便器１を使用する用便者を検出することに用いられるものであるから、これにより検出されるセンサカバー６は磁性体でも非磁性体でもよい。但し、便器１の清掃中に回転ブラシなどの使用により発生する風の影響でセンサカバー６がセンサ部Ｓにより検出されない非検出位置に不用意に移動してしまうことがないよう、センサカバー６は樹脂フィルムのような軽量な柔軟物でなく、１０〜１００グラムの重量を有した硬質物であることが好ましい。
【００２５】
加えて、図２のように、センサカバー６には、例えば「止水中」なる注意事項を記すことが好ましい。尚、その他、注意事項として、「清掃中」、あるいは「使用禁止」等を記しても良い。これによれば、例えば、清掃作業者が便器１の表面に洗剤を付けて現場を離れている間に当該便器１が使用され、洗剤等が尿によって流されてしまうことを防止することができる。
【００２６】
次に、以上のような器具４を用いた便器清掃の方法について説明すると、図３および図４に示すように、便器１を清掃する前に、先ずセンサ部Ｓの上方において、センサ部Ｓの近傍に位置する平坦面（壁面Ｗ）に吸盤５を吸着させ、その吸盤５に連結するセンサカバー６によってセンサ部Ｓを覆う。
【００２７】
尚、図５のように、センサ部Ｓの真上が水平面Ｌとされている場合には、その水平面Ｌに吸盤５を吸着させる。ここに、センサ部Ｓの真上に吸盤５を吸着させ得る平坦面がない場合でも、フレキシブル接続部材７が線径０．５〜２ｍｍの金属線であれば、図６のようにセンサ部Ｓの横に位置する平坦面（壁面Ｗ）に吸盤５を吸着させながら、センサカバー６をセンサ部Ｓによる検出位置（センサ部Ｓをその前方から覆う位置）に保持することができる。
【００２８】
しかして、センサ部Ｓをセンサカバー６で覆った状態を維持したまま、回転駆動軸にバフやブラシが装着された図示せぬ電動清掃用具、あるいは柄付ブラシなどの手動清掃用具を用いて（好ましくは専用の洗剤や研磨剤を併用して）便器１を磨く。この際、センサ部Ｓはこれを覆うセンサカバー６を検出しているので、屈んだり立ち上がったりする清掃作業者がセンサ部Ｓで検出されたり検出されなくなったりすることがなく、このため便器１内への洗浄水の供給は行われない。これにより、洗浄水を無駄使いせず、しかも洗浄水で洗剤が洗い流されることを防止しながら清掃作業を円滑かつ良好に行うことができる。
【００２９】
そして、便器１を磨き終えた後、センサカバー６を指先で押し上げ、あるいは押し下げて、そのセンサカバー６をセンサ部Ｓによる検出位置（図４〜図７における実線の位置）からセンサ部Ｓで検出されない非検出位置（図４〜図７における一点鎖線の位置）に退かすのであり、これにより図１に示した制御部Ｃにより給水弁Ｖが一定時間開放されて便器１内へ定量の洗浄水が供給されることになる。
【００３０】
尚、便器１内に洗浄水が供給された後、当該便器１の表面において磨き残しを発見したら、センサカバー６をセンサ部Ｓによる検出位置に戻し、磨き残した部分を磨き、磨き残しがなくなるまで以上のような作業を繰り返し（通常、２回繰り返すだけで十分）、便器の汚れが完全になくなった段階で器具４を取り外して一連の便器清掃作業を完了する。
【００３１】
以上、本考案の好適な実施形態について説明したが、本考案において、対象とする便器は小便器に限らず、大便器にも適用でき、しかも洋式であるか和式であるかは関係なく、要はセンサ部Ｓによる物体検出に基づいて洗浄水が自動的に供給される自動水洗式であればよい。又、図８のようにセンサ部Ｓが一体に組み込まれた便器１０にも適用することができる。
【符号の説明】
【００３２】
１，１０  便器
Ｓ  センサ部
４  便器清掃作業用器具
５  吸盤
５１  吸盤本体
５２  摘み部
６  センサカバー
７  フレキシブル接続部材
【図１】
0003188045.tif 000003
【図２】
0003188045.tif 000004
【図３】
0003188045.tif 000005
【図４】
0003188045.tif 000006
【図５】
0003188045.tif 000007
【図６】
0003188045.tif 000008
【図７】
0003188045.tif 000009
【図８】
0003188045.tif 000010